(57)【要約】  電気ケーブルを相手側コネクタ（１）に差し込み可能に相互接続するためのエルボコネクタ（２）であって、エルボコネクタ（２）が、プラグ部分（１４）及び分離可能なエルボ部分（１６）を備えるケーシング（４）と、プラグ部分（１４）内に固定して取り付けられた端子ハウジング（２８）によって支持された複数の電気端子を備える、ケーシング（４）内に取り付けられた接続端子組立体（１２）と、相手側コネクタに対して差し込み軸（Ａ）周りで接続端子組立体（１２）を角度配向するための、前記相手側コネクタのキー構成と相補的なキー構成（８）と、を含み、エルボ部分が、エルボ部分のケーブル受容端部から曲げを介してプラグ部分へ延在するケーブル受容キャビティ（１７）を備える。プラグ部分及びエルボ部分が、エルボ部分がプラグ部分に対して差し込み軸（Ａ）周りで異なる離散的な角度配向に位置決めされることを可能にするように構成された、相互係合する配向要素（４４ａ，４４ｂ）をそれぞれ備え、ケーシングが、プラグ部分に対するエルボ部分の選択された角度配向がロックされるようにプラグ部分（１４）をエルボ部分（１６）にロックするように構成された締結具（１８）をさらに備える。
2019526919.tif 000002
【特許請求の範囲】
【請求項１】
電気ケーブルを相手側コネクタ（１）に差し込み可能に相互接続するためのエルボコネクタ（２）であって、
前記エルボコネクタ（２）が、プラグ部分（１４）及び分離可能なエルボ部分（１６）を備えるケーシング（４）と、前記プラグ部分（１４）内に固定して取り付けられた端子ハウジング（２８）によって支持された複数の電気端子を備える、前記ケーシング（４）内に取り付けられた接続端子組立体（１２）と、前記相手側コネクタに対して差し込み軸（Ａ）周りで前記接続端子組立体（１２）を角度配向するための、前記相手側コネクタのキー構成と相補的なキー構成（８）と、を含み、
前記エルボ部分が、前記エルボ部分のケーブル受容端部から曲げを介して前記プラグ部分へ延在するケーブル受容キャビティ（１７）を備えるエルボコネクタ（２）において、
前記プラグ部分及び前記エルボ部分が、前記エルボ部分が前記プラグ部分に対して前記差し込み軸（Ａ）周りで異なる離散的な角度配向に位置決めされることを可能にするように構成された、相互係合する配向要素（４４ａ，４４ｂ）をそれぞれ備え、前記ケーシングが、前記プラグ部分に対する前記エルボ部分の選択された前記角度配向がロックされるように前記プラグ部分（１４）を前記エルボ部分（１６）にロックするように構成された締結具（１８）をさらに備えることを特徴とするコネクタ。
【請求項２】
前記エルボ部分の前記ケーブル受容キャビティ（１７）が、９０°まで曲がることを特徴とする請求項１に記載のコネクタ。
【請求項３】
前記配向要素（４４ａ，４４ｂ）が、前記プラグ部分及び前記エルボ部分の一方上の少なくとも１つの突起又は凹部と、前記プラグ部分及び前記エルボ部分の他方上の複数の相補的な凹部又は突起と、を備えることを特徴とする請求項１又は２に記載のコネクタ。
【請求項４】
前記プラグ部分に対する前記エルボ部分の前記角度配向が、最大で１２０°、好ましくは最大で９０°及び少なくとも５°だけ離される離散的な角度位置からなるように、前記配向要素（４４ａ，４４ｂ）が構成されていることを特徴とする請求項１から３のいずれか一項に記載のコネクタ。
【請求項５】
前記プラグ部分に対する前記エルボ部分の前記角度配向が、最大で６０°及び少なくとも１５°だけ離される離散的な角度位置からなるように、前記配向要素（４４ａ，４４ｂ）が構成されていることを特徴とする請求項１から４のいずれか一項に記載のコネクタ。
【請求項６】
前記プラグ部分に対する前記エルボ部分の前記角度配向が、４５°又は３０°だけ離される離散的な角度位置からなるように、前記配向要素（４４ａ，４４ｂ）が構成されていることを特徴とする請求項１から５のいずれか一項に記載のコネクタ。
【請求項７】
前記プラグ部分（１４）が、前記プラグ部分を前記相手側コネクタにラッチするように構成されたラッチ機構（３２）を備え、前記ラッチ機構が、少なくとも１つのラッチ突起（３６）を有する少なくとも１つのバネアーム（３４）を備え、前記コネクタが、前記プラグ部分を囲むように取り付けられた管状スリーブの形態のロック解除部材（６）をさらに備え、前記ロック解除部材（６）が、ロック位置から、前記ラッチ突起（３６）を解放して前記エルボコネクタを前記相手側コネクタから差し込み解除することを可能とするために前記バネアームを作動させるように構成されたロック解除位置へ移動可能であることを特徴とする請求項１から６のいずれか一項に記載のコネクタ。
【請求項８】
前記キー構成が、前記プラグ部分に、又は前記プラグ部分を囲むように取り付けられたロック解除部材に、突起又は溝を備え、当該突起又は当該溝が、前記相手側コネクタ上の相補的な溝又は突起に係合することを特徴とする請求項１から７のいずれか一項に記載のコネクタ。
【請求項９】
前記エルボ部分の前記ケーブル受容キャビティ（１７）内に挿入されたコレット（２２）と、前記コレット（２２）のクランプアーム（５６）と係合し、前記ケーブルの外側シース周りで前記クランプアームを締め付けて前記ケーブルを前記コネクタに固定するコレットナット（２４）と、を備えるケーブルクランプ機構（１０）をさらに備えることを特徴とする請求項１から８のいずれか一項に記載のコネクタ。
【請求項１０】
前記コレット（２２）が、回転防止ウインドウ（６４）を備え、前記エルボ部分が、前記コレット（２２）が前記エルボ部分に組み付けられたときに前記回転防止ウインドウ（６４）内に変形される回転防止ラグ（４２）を備え、前記回転防止ラグ（４２）が、組み付ける前には、前記コレットを前記ケーブル受容キャビティ内に挿入することを可能とする非変形状態にあることを特徴とする請求項９に記載のコネクタ。
【請求項１１】
前記回転防止ラグ（４２）が、前記エルボ部分（１６）の側壁と一体的に形成されかつ前記側壁から部分的に切断されたタブの形態であることを特徴とする請求項１０に記載のコネクタ。
【請求項１２】
前記配向要素（４４ａ，４４ｂ）が、前記プラグ部分及び前記エルボ部分のそれぞれの接続部（１９）から前記差し込み軸（Ａ）の方向に延在する、歯と相補的な凹部とを備えていることを特徴とする請求項１から１１のいずれか一項に記載のコネクタ。
【請求項１３】
前記締結具（１８）が、前記エルボ部分（１６）上に設けられた相補的なねじ山と係合可能なねじ山（３８）と、前記ケーシングの前記プラグ部分上の相補的なショルダに係合するショルダ（４８）と、を備えるナットの形態であることを特徴とする請求項１から１２のいずれか一項に記載のコネクタ。
【請求項１４】
前記プラグ部分（１４）が、本質的にシリンダ形状又は管形状からなることを特徴とする請求項１から１３のいずれか一項に記載のコネクタ。
【発明の詳細な説明】
【技術分野】
【０００１】
本発明は、相補的なコネクタ、特にパネル又は構造物に取り付けられた相手側コネクタに差し込み可能に接続するための多端子型電気エルボコネクタに関する。エルボコネクタは、多導体型電気ケーブルを相補的なコネクタに相互接続する。
【背景技術】
【０００２】
エルボコネクタは、周知であり、ケーブルがコネクタの差し込み方向に対して直角に接続パネル又は他の構造物を出ることを可能にする。コネクタ連結部を出たケーブルは、まず、相補的なもしくは相手側コネクタが取り付けられるパネル又は他の表面と本質的に平行な方向に配向される。複数の電気端子が設けられた電気コネクタは、しばしば、相手側コネクタに対して所定の角度配向で差し込まれることを必要とする。コネクタ及び相手側コネクタの配向及びガイドは、相補的なコネクタを所定の角度配向でのみともに差し込むことができることを確実にする偏向又はキー構成(polarizing or keying arrangement)によって提供される。所定の用途では、キー構成は、コネクタが適切に配向されることを確実にする偏向要素だけでなく、所定のコネクタのみ、すなわち同じ相補的なキー要素構成が設けられたコネクタのみがともに連結されることを確実にするキー要素もさらに備える。
【０００３】
複数の相手側コネクタが、パネル又は他の構造物に設けられる場合、ケーブルは、他のコネクタと干渉することがあり、密集した配置でコネクタをともに取り付ける能力を低下させることがある。さらに、所定の状況では、エルボコネクタが、相手側パネルコネクタに対して所定の配向に配向されることを必要とするので、ケーブルが出ていく方向が最適ではない可能性がある。このような問題は、例えば特許文献１に開示されるように、コネクタの差し込み部分に対して回転可能なケーブル出口部分を有するエルボコネクタを提供することによって解決される。この特許文献１では、コネクタのケーブル出口セクションが、差し込み軸周りでほとんど３６０°まで回転することができる。しかしながら、これは、所定の状況において複数の欠点を有する。１つの欠点は、差し込み部分に対するケーブル出口部分の回転サイクルが、導線とコネクタ内に取り付けられた電気端子との間の電気的接続部の疲労及び破損につながる可能性があることである。加えて、多くの状況では、構造物から予め規定された方向にケーブルを出すことと、差し込まれるとケーブルの回転を防止することと、が望ましい。
【先行技術文献】
【特許文献】
【０００４】
【特許文献１】欧州特許出願公開第０８１８８５４号明細書
【発明の概要】
【発明が解決しようとする課題】
【０００５】
本発明の目的は、上述した欠点を克服するエルボコネクタを提供することである。
【０００６】
組み立て及び設置のコスト効率がよくかつ使用しやすいエルボコネクタを提供することが有利である。
【０００７】
コンパクトであり、頑丈でありかつ信頼性のあるエルボコネクタを提供することが有利である。
【課題を解決するための手段】
【０００８】
本発明の目的は、請求項１に記載のエルボコネクタを提供することによって達成される。
【０００９】
本明細書には、電気ケーブルを相手側コネクタに差し込み可能に相互接続するためのエルボコネクタであって、エルボコネクタが、プラグ部分及び分離可能なエルボ部分を備えるケーシングと、プラグ部分内に固定して取り付けられた端子ハウジングによって支持された複数の電気端子を備える、ケーシング内に取り付けられた接続端子組立体と、相手側コネクタに対して差し込み軸（Ａ）周りで接続端子組立体を角度配向するための、前記相手側コネクタのキー構成と相補的なキー構成と、を含む、エルボコネクタが開示されている。エルボ部分が、エルボ部分のケーブル受容端部から曲げ、例として直角の曲げを介してプラグ部分へ延在するケーブル受容キャビティを備える。プラグ部分及びエルボ部分が、エルボ部分がプラグ部分に対して差し込み軸（Ａ）周りで異なる離散的な角度配向に位置決めされることを可能にするように構成された、相互係合する配向要素をそれぞれ備え、ケーシングが、プラグ部分に対するエルボ部分の選択された角度配向がブロックされるようにプラグ部分をエルボ部分にロックする締結具をさらに備える。
【００１０】
プラグ部分が、本質的なシリンダ形状又は管形状からなってもよい。
【００１１】
一実施形態では、配向要素が、プラグ部分及びエルボ部分の一方上の少なくとも１つの突起又は凹部と、プラグ部分及びエルボ部分の他方上の複数の相補的な凹部又は突起と、を備える。
【００１２】
一実施形態では、プラグ部分に対するエルボ部分の角度配向が、最大で１２０°及び少なくとも５°、好ましくは最大で９０°及び少なくとも１５°だけ離される離散的な角度位置からなるように、配向要素が構成されてもよい。
【００１３】
好ましくは、プラグ部分に対するエルボ部分の角度配向が、最大で６０°及び少なくとも１５°だけ離される離散的な角度位置からなるように、配向要素が構成されている。本発明の実施形態についての好ましい離散的な角度増加は、例として、４５°又は３０°又は２２．５°であり、これは、これら角度が、完全な３６０°にわたって有利な数の角度位置（それぞれ８個、１２個及び１６個）を提供し、これにより、コネクタに近接する障害物に適合するにもかかわらず、識別することが容易ではない非常に多くの角度位置を有することを回避するからである。
【００１４】
一実施形態では、プラグ部分が、プラグ部分を相手側コネクタにラッチするように構成されたラッチ機構を備え、ラッチ機構が、少なくとも１つのラッチ突起を有する少なくとも１つのバネアームを備え、コネクタが、ロック位置から、ラッチ突起を解放してエルボコネクタを相手側コネクタから差し込み解除することを可能とするためにバネアームを作動させるように構成されたロック解除位置へ移動可能なロック解除部材をさらに備えている。ロック解除部材は、プラグ部分を囲むように取り付けられた管状スリーブの形態であってもよい。
【００１５】
一実施形態では、キー構成が、プラグ部分に、又はプラグ部分を囲むように取り付けられたロック解除部材に、突起又は溝を備え、突起又は溝が、相手側コネクタ上の相補的な溝又は突起に係合する。
【００１６】
エルボコネクタは、エルボ部分のケーブル受容キャビティ内に挿入されたコレットと、コレットのクランプアームと係合し、ケーブルの外側シース周りでクランプアームを締め付けてケーブルをコネクタに固定するコレットナットと、を備えるケーブルクランプ機構をさらに備えてもよい。
【００１７】
一実施形態では、コレットが、有利には、回転防止ウインドウを備え、エルボ部分が、コレットがエルボ部分に組み付けられたときに回転防止ウインドウ内に変形される回転防止ラグを備え、それにより、組み付ける前には、回転防止ラグが、コレットをケーブル受容キャビティ内に挿入することを可能とする非変形状態にある。
【００１８】
一実施形態では、回転防止ラグが、エルボ部分の側壁と一体的に形成されかつ側壁が部分的に切断されたタブの形態である。
【００１９】
一実施形態では、配向要素が、プラグ部分及びエルボ部分のそれぞれの接続部から差し込み軸（Ａ）の方向に延在する、歯と相補的な凹部とを備えている。
【００２０】
一実施形態では、締結具が、エルボ部分上に設けられた相補的なねじ山と係合可能なねじ山と、ケーシングのプラグ部分上の相補的なショルダに係合するショルダと、を備えるナットの形態であってもよい。
【００２１】
本発明のさらなる目的及び有利な特徴は、特許請求の範囲、詳細な説明及び添付の図面から明らかになるであろう。
【図面の簡単な説明】
【００２２】
【図１】相手側コネクタに差し込まれるラインにある、本発明の一実施形態によるエルボコネクタの斜視図である。
【図２】本発明の一実施形態によるエルボコネクタの分解斜視図である。
【図３】相手側コネクタに差し込まれるラインにある、本発明の一実施形態によるエルボコネクタの断面図である。
【図４】一点鎖線で異なる配向角度を示す、相手側コネクタに差し込まれた、本発明の一実施形態によるエルボコネクタを図示する差し込み方向の図である。
【図５】パネル上に配置された対応する複数の相手側コネクタに差し込まれた、本発明の一実施形態による複数のエルボコネクタを示す図である。
【発明を実施するための形態】
【００２３】
図面を参照すると、多導体型電気ケーブル（図示せず）を相手側コネクタ１に相互接続するための電気エルボコネクタ２の一実施形態が示されている。相手側コネクタ１は、ケーブルが差し込み可能に相互接続されるべきである、パネル又はデバイスの表面などといった構造物に取り付けられるよう意図されている。デバイスは、デバイスを複数のケーブルに差し込み可能に相互接続するために、ともに近接して配置された複数の相手側コネクタを備えている。
【００２４】
電気ケーブルを相手側パネルコネクタに相互接続するように構成されたエルボコネクタは、光ファイバーケーブル又は空気圧式もしくは液圧式接続部などといった他の接続要素をさらに備えてもよい。
【００２５】
ケーブルは、多導体型ケーブルであり、エルボコネクタ２は、ケーブル３の導線に接続するため、かつ相手側コネクタ１の複数の相補的な端子２６’に差し込み接続するために複数の電気端子２６を備えている。
【００２６】
本発明の一実施形態によれば、エルボコネクタ２は、ケーシング４と、ケーシング４内に取り付けられた接続端子組立体１２と、ケーブルをケーシングに固定するケーブルクランプ機構１０と、少なくとも偏向要素を備えるキー構成８であって、偏向要素が、コネクタがともに差し込まれるときに、エルボコネクタを相補的な相手側コネクタに対して特定の角度配向に配向するように構成され、このため、エルボコネクタの電気端子が、単一の特定の配向で、相手側コネクタの相補的な相手側電気端子と整列する、キー構成８と、を備えている。ともに差し込まれるコネクタの正確な配向に加えて、キー構成は、キー要素をさらに備え、キー要素は、所定のキー構成を有するエルボコネクタが、対応する相補的なキー構成８’を有する相手側コネクタに差し込まれることと、異なるキー構成を有する他のエルボコネクタが相手側コネクタに連結することを防止することと、を可能にする。このような偏向及びキー構成８，８’は、当技術分野でそれ自体が公知であり、本明細書においてさらに説明する必要はない。従って、キー構成は、接続端子組立体１２及びケーシングの対応するプラグ部分１４を、相手側コネクタに対して、従って相手側コネクタが組み付けられるデバイスに対して配向する。
【００２７】
ケーシング４は、プラグ部分１４と、エルボ部分１６と、エルボコネクタが完全に組み立てられたときにプラグ部分１４をエルボ部分１６に固定する締結具１８と、を備えている。一実施形態では、ケーシングのプラグ部分１４は、全体としてシリンダ状の管状部分である。
【００２８】
プラグ部分１４は、２つのコネクタがともに差し込まれるときに相手側コネクタの相補的なラッチ機構３２’と係合可能なラッチ機構３２を備え、これにより、エルボコネクタを相手側コネクタに確実にラッチする。図示された実施形態では、ラッチ機構３２は、それぞれラッチ突起３６が設けられた１つ以上のバネアーム３４を備え、このようなラッチ機構は、当技術分野でそれ自体が公知である。
【００２９】
エルボコネクタは、エルボコネクタを相手側コネクタから差し込み解除することを可能にするために、ラッチ機構３２を解放するためのロック解除部材６をさらに備える。図示された実施形態でのロック解除部材６は、ケーシング４のプラグ部分１４を囲むように取り付けられた、スライド可能な管状スリーブ２０を備え、管状スリーブ２０には、それを通じてラッチ突起を受容するためのオリフィス５０と、外側グリップ部分５２と、が設けられ、外側グリップ部分５２は、オリフィス５０の縁部がラッチ突起３６の面取り面上をスライドしてバネアーム３４を径方向内側に押し下げかつエルボコネクタを相手側コネクタから解放するように、オペレータが管状スリーブを後退させることを可能にする。このようなラッチ及びロック解除機構は、当技術分野でそれ自体が公知である。
【００３０】
図示された実施形態では、キー構成８は、相手側コネクタ１の相補的な溝８’内にスライドするように構成された、管状スリーブ２０上で径方向外側に突出する突起の形態で設けられている。しかしながら、キー構成は、あるいは、ケーシング４のプラグ部分１４上に設けられてもよく、又はさらには接続端子組立体１２内に設けられてもよい。エルボコネクタ上の突起の代わりに、キー構成は、相手側コネクタ上の相補的な突起に係合する、エルボコネクタ上の溝又はスロットを備えてもよい。
【００３１】
接続端子組立体１２は、端子受容キャビティ７４を有する誘電インサート７２を備える端子ハウジング２８内に組み付けられた複数の電気端子２６を備え、端子受容キャビティ７４内には、電気端子２６がしっかりと取り付けられる。
【００３２】
端子ハウジング２８は、分割型外側シェル７０をさらに備え、分割型外側シェル７０は、誘電インサート７２を囲むように取り付け、ケーシングのプラグ部分１４に対してインサートを固定及び位置決めするために働く。分割型外側シェルは、誘電インサート及び端子をケーシング４のプラグ部分１４に位置決め及び固定するために働く。他の実施形態（図示せず）では、外側シェル７０は、省略されてもよく、その機能は、必要に応じて誘電インサートの外面を適合させることによって誘電インサート７２内に統合されてもよい。誘電インサートは、例としてプラスチック部品（例えば射出成形部品）の形態、又はセラミック材料といった別の絶縁材料から作られた部品の形態である。特定の構成でともに電気端子を保持するために使用される、他の公知な材料及び本体は、本発明の範囲内に規定される。端子ハウジング２８は、ケーシング４のプラグ部分１４内において特定の角度配向及び特定の軸方向位置で、不動に固定されるように構成される。誘電インサート、分割型外側シェル及びプラグ部分上で相互係合する要素が、位置決め及びロック機能を実行するために設けられてもよい。
【００３３】
各端子２６は、相手側コネクタの相補的な相手側端子２６’と分離可能に差し込み接続するために、ケーシング４のプラグ部分１４内に位置決めされた差し込み部分６６と、ケーブルの導線に接続するように構成されたケーブル接続部分６８と、を備えている。ケーブル接続部分６８は、それ自体が公知な構成、例として圧着接続部、絶縁変位接続部及び／又ははんだ接続部を備えてもよい。差し込み部分６６は、例として、相手側コネクタ内のレセプタクルタイプの接点内に挿入されるピン接点の形態、もしくは相手側コネクタのピン接点を受容するためのレセプタクルタイプの接点の形態、又は相手側コネクタ及びエルボコネクタ双方上でのピン及びレセプタクル接点双方の組み合わせである。当技術分野でそれ自体が公知の他のタイプの相手側電気端子が、本発明の範囲から逸脱することなく提供されてもよい。さらに、コネクタは、電気的だけでなく、光ファイバー端子又は液圧式／空気圧式接続部などといった非電気的接続要素をさらに含むハイブリッドコネクタを含んでもよい。
【００３４】
ケーブルクランプ機構１０は、コレット２２と、ねじ山４０が設けられたコレットナット２４と、を備え、ねじ山４０は、コレットナット２４がケーシングのエルボ部分に締め付けられ得るようにエルボ部分１６のケーブル出口端部上の相補的なねじ山４０と係合する。コレット２２は、エルボ部分のケーブル受容端部内に挿入してエルボ部分のキャビティ内の環状ショルダと隣接する部分を備えている。コレットは、自由端に外側面取り部６０ａが設けられたクランプアーム５６を備え、自由端は、コレットナットがエルボ部分に締め付けられるときに、クランプアームがコレットナットの内側面取り部６０ｂによって径方向内側に付勢されることを可能にする。クランプアーム５６には、選択的に、内側にクランプ歯が設けられ、クランプ歯は、ケーブルの外側シースを通ってケーブルの外側シース内に食い込む。このようなケーブルクランプ機構は、それ自体が公知である。
【００３５】
エルボ部分１６のケーブル受容キャビティ端部内でのコレットの回転を防止するために、コレットには、エルボ部分１６から一体的に延在する回転防止ラグ４２を受容する回転防止ウインドウ６４が設けられている。回転防止ラグ４２は、有利には、エルボ部分の壁部が部分的に切断されたタブの形態である。回転防止ラグは、エルボ部分のケーブル受容キャビティ端部内へのコレットの挿入中には曲がっていない又は面一の構成で提供され、その後、スタンプ又はプレス加工によって内側に曲げられて回転防止ウインドウ６４内に係合する。面一の構成は、コレット２２の製造及びコレット２２のケーシング４への固定に、特にコスト効率がよく信頼性のある方式を提供する。
【００３６】
プラグ部分１４は、組み立てられて、締結具１８により、独立しかつ分離可能なエルボ部分１６にしっかりと保持される。図示される実施形態で示されるように、締結具は、一端にねじ山３８を有しかつ他端にショルダ４８を有するナットの形態であり、これらねじ山及びショルダは、エルボ部分及びプラグ部分上の相補的なねじ山及び相補的なショルダにそれぞれ連結する。図示された実施形態では、締結具１８のねじ山３８が、エルボ部分上のねじ山と係合し、ショルダ４８が、ケーシングのプラグ部分１４上のショルダと係合し、これにより、プラグ部分をエルボ部分に締め付けて固定する。本発明の範囲内では、クランプ機構などといった他の固定手段が、エルボ部分をプラグ部分に締め付けるために採用されてもよい。
【００３７】
プラグ部分１４と、独立したエルボ部分１６と、は、組み立てられた位置では、接続部１９においてともに隣接する。プラグ部分１４の接続部１９ａは、配向要素４４ａを備え、エルボ部分１６の接続部１９ｂは、相補的な配向要素４４ｂを備えている。接続部の一方が単一の配向要素又は複数の配向要素を備えるが、他の接続部が単一の配向要素のみを備える場合、他方の接続部が複数の配向要素を備え、このため、エルボ部分は、プラグ部分１４に対して差し込み軸Ａ周りで異なる角度αに配向される。例として、図示された実施形態では、配向要素は、他方の接続部の相補的な溝と係合する、接続部の一方上の突起又は歯の形態で設けられる。接続部上での歯の構成は、同一であるか異なっていてもよく、構成は、エルボ部分１６が、プラグ部分１４に対して複数の異なる離散した角度配向に位置決めされることを可能にし、図４で最もよくわかるように、エルボコネクタの組立中に、このようにケーブルの出口の方向を変更する。組み立てられると、締結具１８が締め付けられ、それにより配向要素４４ａ，４４ｂをロックかつ固定された位置にロックした後には、エルボ部分及びケーシングのプラグ部分は互いに対して回転することができない。本発明の実施形態は、
・完全な３６０°周りで３個の異なる位置を提供する１２０°と、
・完全な３６０°周りで４個の異なる位置を提供する９０°と、
・完全な３６０°周りで６個の異なる位置を提供する６０°と、
・完全な３６０°周りで８個の異なる位置を提供する４５°と、
・完全な３６０°周りで１２個の異なる位置を提供する３０°と、
・完全な３６０°周りで１６個の異なる位置を提供する２２．５°と、
の離散的な角度増加を含んでもよい。
【００３８】
好ましい実施形態は、４５°又は３０°の角度増加を有し、これは、これら角度が、完全な３６０°にわたって有利な数の角度位置（それぞれ８個、１２個の離散的な角度位置）を提供し、これが、コネクタに近接する障害物に容易に適合することを可能にするにもかかわらず、識別することが容易ではない非常に多くの角度位置を有することを回避するからである。また、角度位置の間で最小の離散的な角度をさらに減少させることによって非常に多くの数の角度増加を有することは、突起４４ａ，４４ｂの強度を低下させ、従ってエルボ部分１６とプラグ部分１４との間の接続部１９を弱化させる可能性がある。
【００３９】
図５で最もよく図示されるように、複数の相手側コネクタが、複数のエルボコネクタ２に差し込み接続するためにパネル又はデバイス５の構造物上に配置され、それにより、相手側コネクタが、例として、エルボコネクタの接続端子組立体１２が所定の配向で相手側コネクタに差し込まれることを必要とする同じ角度配向で配向される。しかしながら、ケーブル出口は、上述したように望ましい離散した角度位置へ、組立中に調節される。従って、ケーブル３の出口方向は、図５の例で図示された構造物内でのレイアウト及び相手側コネクタの配向に応じて最適化される。
【符号の説明】
【００４０】
１  相手側コネクタ、２  エルボコネクタ、３  ケーブル、４  ケーシング、５  デバイス、６  ロック解除部材、８  キー構成，キー要素，例えば連結リング上に設けられた突起，溝，スロット、８’  相補的なキー構成，キー要素、例えば突起、溝、スロット、１０  ケーブルクランプ機構、１２  接続端子組立体、１４  プラグ部分、１６  エルボ部分、１７  ケーブル受容キャビティ、１８  締結具，ナット、２０  管状スリーブ、２２  コレット、２４  コレットナット、２６  相補的な接続端子組立体，端子、２６’  （相補的な）端子，例えばレセプタクル端子、２８  端子ハウジング、３０  締結ショルダ（エルボ側）、３２  ラッチ機構、３２’  相補的なロック機構、３４  バネアーム、３６  ラッチ突起、３８  （プラグ部分のための）締結ねじ山、４０  （コレットナットのための）締結ねじ山、４２  回転防止ラグ、４４ａ  配向要素、４４ｂ  配向要素、４８  ショルダ、５０  ラッチ突起のためのオリフィス、５２  外側グリップ部分、５６  クランプアーム，自由端，内側クランプ歯、６０ａ  外側面取り部、６０ｂ  カム部分、６４  回転防止ウインドウ、６６  差し込み部分，ピン接点、６８  ケーブル接続部分，圧着，ＩＤＣ，はんだ、７０  分割型外側シェル、７２  （誘電）インサート、７４  端子受容キャビティ、α  エルボ部分の回転の最小の離散的な角度、Ａ  差し込み方向
【図１】
2019526919.tif 000003
【図２】
2019526919.tif 000004
【図３】
2019526919.tif 000005
【図４】
2019526919.tif 000006
【図５】
2019526919.tif 000007
【国際調査報告】
2019526919.tif 000008
2019526919.tif 000009
2019526919.tif 000010